(57)【要約】      （修正有）【課題】体操用着地マットのように平面を呈し、一定の長さを有してなる歩行訓練用マットであって、歩行訓練効果をより効果にならしめるとともに、外乱に対する適応の向上も得られるようにして、スポーツ選手の体幹下部の強化や運動能力向上のためにも、活用できる訓練用マットを提供する。【解決手段】当該マットは、単体としては、全体が同一の物性素材で形成されている少なくとも二個以上の偶数のマット片２０，３０，４０を、積層することなく、縦方向或いは横方向に適宜組み合わせ配列して、袋体１に収容する。この偶数のそれぞれの各マット片は、圧縮硬度が１００〜１０００Ｎ（ＪＩＳＫ６４００）である反発係数や圧縮硬度など、異なる物性の粘性素材、或いは弾性素材から形成する。また、マット片が、適宜な間隔を置きながら連続する山形半円状としても良い。【選択図】図２
0003146951.tif 000002
【実用新案登録請求の範囲】
【請求項１】
体操用着地マットのように平面状を呈し一定の長さを有してなる歩行訓練用マットであって、
当該マットは、単体としては、全体が同一の物性素材で形成されている少なくとも二個以上の偶数のマット片を、積層することなく、縦方向或いは横方向に適宜組み合わせ配列されて構成され、
組み合わせ配列されるこの偶数のそれぞれの各マット片は、圧縮硬度が１００〜１０００Ｎ（ＪＩＳＫ６４００）である反発係数や圧縮硬度など、異なる物性の粘性素材、或いは弾性素材から形成されているであることを特徴とする歩行訓練用マット。
【請求項２】
体操用着地マットのように平面状を呈し一定の長さを有してなる歩行訓練用マットであって、
このマットを構成する反発係数や圧縮硬度などの異なる物性の粘性素材、或いは弾性素材から形成される少なくとも二個以上の偶数マット片が、適宜な間隔を置き連続する山形半円状を呈することを特徴とする請求項１記載の歩行訓練用マット。
【考案の詳細な説明】
【技術分野】
【０００１】  本考案は下肢部位の運動能力の回復と向上のためのリハビリテーシヨンに使用される歩行訓練用マットに係り、従来品のマットに比し、大幅な機能の回復と向上が期待できるばかりでなく、運動選手の下肢部位強化にも活用範囲を広げるマットを提供するものである。
【背景技術】
【０００２】  現在、病院の整形外科などでのリハビリテーシヨンにおいて、歩行訓練用に、平面状を呈し一定の長さを有する体操用着地マットを利用している例は数多い。
この種のマットは、例えば、特開平１−２０７０８３号や同平８−７６０号、特開２００４−２４５９９号のように、圧縮硬度の異なる板状弾性体を上下に積層して形成し、着地の際の安全性及び安定性を向上させたものである。【０００３】  しかしながら、これらの発明では、複数に積層形成されたものであっても、当然、一枚のマット全てが全長に亘って、同じ物性特徴、同じ圧縮硬度を有する同一の材料で形成されたものであるから、最初から最後まで同じ物性特徴、同じ圧縮硬度の床面を歩行している状態であることに変わりは無い。【０００４】  したがって、これらと同種類のマットを利用している整形外科などのリハビリテーシヨンとしての歩行訓練用マットは、単に、歩行の訓練時に転倒した場合における安全性の確保以上の意味は無く、筋神経や筋力に対するトレーニングツールとしては不十分であり、外乱に対する適応の向上が得られることは少ないか或いは限定される。【０００５】  一方、ゴルフやクロスカントリー或いはテニスと言った各種のスポーツ選手が、臀部筋やハムストリングスといった体幹下部の強化や運動能力向上のため、上記のようなマットを使用しているのを出願人は見聞する機会に遭遇していない。
【考案の開示】
【考案が解決しようとする課題】
【０００６】  歩行訓練時の安全性確保のためのマットとばかりでなく、一歩進んで運動協調の低下を来たしている人、例えば、歩行時及び走行時の路面状況変化に即応する姿勢制御の能力回復並びに向上、更には、運動協調訓練（コーデネーシヨントレーニング）が求められる患者や運動選手が使用できるマットの案出が、リハビリテーシヨンの専門化が進む中、高度化、多様化の面からも強く求められていた。
【課題を解決するための手段】
【０００７】  本考案の歩行訓練用マットは、体操用着地マットのように平面状を呈し一定の長さを有してなるものであって、
当該マットは、単体としては、全体が同一の物性素材で形成されている少なくとも二個以上の偶数のマット片を、積層することなく、縦方向或いは横方向に適宜組み合わせ配列されて構成され、この偶数の各マット片は、反発係数や圧縮硬度など、異なる物性の粘性素材、或いは弾性素材から形成して課題を解決するための手段としている。【０００８】また、このマットを構成する
反発係数や圧縮硬度などの異なる物性の粘性素材、或いは弾性素材から形成される少なくとも二個以上の偶数マット片が、適宜な間隔を置き連続する山形半円状を呈するマット片を適宜組み合わせ配列されて形成されることも、課題を解決するための手段としている。
【考案の効果】
【０００９】    本考案は、体操用着地マットのように平面状を呈し一定の長さを有してなる歩行訓練用マットであって、
当該マットは、単体としては、全体が同一の物性素材で形成されている少なくとも二個以上の偶数のマット片を、積層することなく、縦方向或いは横方向に適宜組み合わせ配列されて構成され、組み合わせされるこの偶数の各マット片は、それぞれが反発係数や圧縮硬度など、異なる物性の粘性素材、或いは弾性素材から形成されものであり、
また、マット片には、適宜な間隔を置き連続する山形半円状を呈するマット片を適宜組み合わせ配列されることも含まれることを特徴とするものであるから、以下の効果を奏する。【００１０】  一枚のマットに反発係数や圧縮硬度の異なる物性の粘性素材、弾性素材から形成されるマット片が縦方向或いは横方向に適宜配列されているので、マットを歩行している歩行者は、
歩行床面の、異なる物性がもたらす状況が急変する床面に突然遭遇することになるので、この場面に瞬時に対応する必要に迫られることになる。
当然歩行者は無意識に外乱に対応しようとするため、より多くの筋を瞬時に使用することとなり、外乱適応向上が得られる。【００１１】  また、歩行者は突然歩行床面の物性から来る変化する場面に遭遇するので、これに瞬時に対応する必要に迫られ、休眠状態にある筋肉も活性化され、所謂、姿勢防御の能力向上が得られる。【００１２】  特に、軟らかい物性のマット片から構成されるマット部の不安定な床面に直立するだけで、臀部や下肢、ハムストリングなどの筋活動の上昇がみられ、実験によれば、圧縮硬度によりバラツキもあるが、臀部では概ね３０％前後、下肢及びハムストリングでは概ね４０％前後筋活動の上昇率を示す。【００１３】  本考案に係るマットは、単体としては全体が同一の物性素材で形成されている、物性の異なる粘性素材、弾性素材から形成される圧縮硬度の異なる複数のマット片を、縦方向或いは横方向に適宜配列されて構成されるものなので、これの配列を変更する事で多数の歩行場面パターンを創造することができる。【００１４】  次々と状況変化する歩行床面の外乱要素に対応するとき、身体を安定させようとする自己防衛能力が活性化され、筋骨格システムを守る効果を生み、このことによって中高年の転倒予防の効果が得られる。
【考案を実施するための最良の形態】
【００１５】  本考案の理念は、目を閉じて海辺の砂地を、波打ち際から陸地のほうに歩行するときの独特な歩行感覚、即ち、固い地面から、歩行を進めていくと徐々に地表にもぐり始め、不安定な地表へと変化することを体感する事から案出された。
また、直線に進まず横方向に蟹歩行をすれば、ほぼ同様な条件の地表を進む事ができる。このような、条件によって変化する地表に対応する歩行、これが即ち外乱適応であり、外乱に対応する所謂、姿勢防御の能力であると考え、これがマット上で再現可能であれば、課題の解決になると確信し案出されたものである。【００１６】  そこで本考案は、体操用着地マットのように平面状を呈し、一定の長さを有してなる歩行訓練マットであって、単体としては、全体が同一の物性素材で形成されている少なくとも二個以上の偶数のマット片を、積層することなく、縦方向或いは横方向に適宜組み合わせ配列されて構成され、この偶数の各マット片は、それぞれが反発係数や圧縮硬度など、異なる物性の粘性素材、或いは弾性素材から形成されている。【００１７】  本考案を構成するマット片は、例えば、ポリスチレン樹脂発泡体あるいは、圧縮ウレタン樹脂の発泡体とか低発泡ポリウレタン樹脂体やエチレン−酢酸ビニル共重合樹脂（ＥＶＡ）発泡体のような材料が使われるが、本考案においては、前記のように、要は粘性・弾性の物性の異なるもの及び圧縮硬度の異なっていることが肝要であって、耐久性・ハンドリング性を考慮してなされれば、限定される事は無いが、多くは低発泡ポリウレタン樹脂体やエチレン−酢酸ビニル共重合樹脂（ＥＶＡ）発泡体が用いられる。【００１８】  また、マット片には、適宜な間隔を置き連続する山形半円状を呈するマット片も適宜組み合わせ配列されることも特徴としている。
しかしながら、この形状の差異は本考案の作用効果に大きな変化をもたらすものではない、だからと言って、考案理念の場面が浜辺の歩行であることから、ピラミッドの様に三角形のものや富士山形のようなものなどは、ここでは想定されない。
前記のような、間隔を置いて連続する山形半円状を呈するマット片が考えられたのは、歩行場面を海辺から河原に変えて考えたとき、例えば石などの障害物を想定したものである。【００１９】  本考案は、体操用の着地マットと同等程度か、或いはそれよりも３０〜５０ｃｍ程度長く作られる事が使い勝手の面から理想的であり、嵩張ることから、運搬を含め、使用準備や後片付けの点を考慮し、マット片を納めた袋体の側面には輪状の手掛けバンドが備えられる。【００２０】  単体としては同一物性で形成されるブロック片であるが、圧縮硬度や粘性や弾性など、物性のそれぞれ異なる素材から形成された少なくとも二つ以上の偶数のマット片から構成され、該マット片を適宜配列して、面と面との接触面を接着にて一体化し、袋体に納めたものである。
袋体に収めないものや、面と面との接触面を接着せずにそのまま袋体に納めたものなど、他の方法によるものもテストされたが、この方法が最も望ましい結果が得られている。【００２１】  本考案を構成するマット片は、反発力（弾性）の強いものと弱いもの、粘性の強いもの弱いもの、少なくともこの二つの大きな特性を有するもので形成されることが望ましく、具体的圧縮硬度は、１００〜１０００Ｎ（ＪＩＳＫ６４００）が考えられるが、１５０〜６５０Ｎ程度のものが望ましい結果が得られている。【００２２】  マット片は、反発係数や圧縮硬度など物性の違いに関係なく、高さは２０〜７０ｍｍ、幅及び長さが２０〜４０ｃｍの範囲で作られることが望ましく、一般的な歩行訓練用としては、高さは５０ｍｍ、幅と長さが２５〜３０ｃｍ程度のものが望ましい結果が得られている。
【実施例】
【００２３】  図１に示す実施例に基づき本考案を説明すると、本考案の歩行訓練用マットＡは、体操用着地マットのように平面状を呈し一定の長さを有しており、図１に一部切欠断面を示したように、袋体１には、２０、２１、３０、３１と縦及び横とに複数のマット片が納められていて、これらの各マット片は、他片に接する面が接着されて複数のマット片は一体化される。【００２４】  図２は図１の長手方向を、断面で説明する図で、符号２０、３０、４０のマット片は、単体としては、全体が同一の物性素材で形成され、これら少なくとも二個以上の複数で偶数のマット片は、それぞれ、反発係数や圧縮硬度など、異なる物性の粘性素材、或いは弾性素材から形成されていて、積層されることなく、縦方向或いは横方向に適宜組み合わせ配列されて構成される。【００２５】  図３は、マット片が図１で説明のような四角形を呈するものではなく、適宜な間隔を置き連続する山形半円状を呈する実施例を説明するものであって、該形状の実施例においても、単体としては、全体が同一の物性素材で形成され、これらのマット片で訓練用マットを構成するときは、少なくとも二個以上の偶数のマット片で形成され、それぞれのマット片は反発係数や圧縮硬度などの異なる物性の粘性素材、或いは弾性素材から形成される。【００２６】  図３の山形半円状を呈するマット片は、前記説明の図１、図２で示した四角形を呈するマット片と適宜組み合わせ配列される事もある他、この形状のみのマット片で構成されることもある。
いずれの場合も、少なくとも二個以上の偶数の異なる物性を有するマット片が適宜組み込まれ配列されて構成される。【００２７】  図中における袋体１は滑りにくく、且つ表面は柔軟性、復元性に富むポリウレタンコーテングを施されたニット素材が用いられ、抗菌加工と床面に接する面には滑り止め加工が施されることが望まれる。
【産業上の利用可能性】
【００２８】  以上説明のように、本考案は体操用着地マットのような形状を呈する歩行訓練用マットであって、当該マットは、単体としては、全体が同一の物性素材で形成されている少なくとも二個以上の偶数のマット片を、積層することなく、縦方向或いは横方向に適宜組み合わせ配列されて構成され、この偶数の各マット片は、圧縮硬度が１００〜１０００Ｎ（ＪＩＳＫ６４００）で、それぞれが反発係数や圧縮硬度など、異なる物性の粘性素材、或いは弾性素材から形成されたことを特徴とするものである。【００２９】  したがって、次々変化する床面の状況に対し、歩行者は瞬時に対応する必要に迫られることになるため、即、外乱に対応しなければならず、より多くの筋を瞬時に使用することになり、外乱適応の向上が得られる。【００３０】  このように、次々と状況が変化する歩行床面の外乱に対応するとき、休眠状態にある筋肉も活性化され、所謂、姿勢防御の能力向上が得られ、且つ身体を安定させようとする自己防衛能力が活性化され、筋骨格システムを守る効果を生み、もって中高年の転倒予防の効果が得られるので、単にリハビリテーシヨンとしての歩行訓練用としてばかりでなく、スポーツ選手の臀部筋やハムストリングスといった体幹下部の強化や運動能力向上のためのツールとしても活用でき、その上、此れと言って製造上問題となる点も無いことから産業上の利用可能性は頗る高い。
【図面の簡単な説明】
【００３１】
【図１】本考案の歩行訓練用マットを一部切欠断面で全体を説明する図である。
【図２】本考案の歩行訓練用マットの長手方向を断面で説明する図である。
【図３】適宜な間隔を置き連続する山形半円状を呈するマット片を、長手方向を断面で説明する図である。
【符号の説明】
【００３２】Ａ歩行訓練マット
１袋体      ２０，２１、３０，３１，４０マット片      ５０山形半円状のマット片
【図１】
0003146951.tif 000003
【図２】
0003146951.tif 000004
【図３】
0003146951.tif 000005